(57)【要約】【課題】サーチ再生から通常再生やポーズ再生などの他の再生モードに移行した場合にも、再生画像の乱れを防止し、良好な再生画像が得られるようにする。【解決手段】記録媒体から画像データを読み取って再生する再生部と、再生部により再生された画像データを一時的に保存する一時保存メモリと、記録媒体を反対方向に通常再生時よりも速い速度で搬送させて、通常再生とは時系列的に逆方向の逆方向早送り再生を行なっている状態から、所定の時刻に通常再生に切り替えた場合に、所定の時刻の後の通常再生で最初に再生されて表示装置に表示される画像よりも時系列的に前の画像を逆方向早送り再生において表示装置に表示しないように再生部と一時保存メモリとを制御する制御部と、を具備する。【選択図】      図８
2006209830.tif 000002
【特許請求の範囲】
【請求項１】
時系列に並んだ通常再生用の本画像データと、該本画像データの記録時刻にそれぞれ対応して時系列に並んだ早送り再生用の早送り再生用画像データとが記録された記録媒体で、且つ前記早送り再生用画像データが対応する記録時刻の前記本画像データよりも時系列的に遅れた位置に記録された記録媒体を、一方向に搬送させながら画像データを読み取って再生する画像再生装置であって、
前記記録媒体から画像データを読み取って再生する再生手段と、
該再生手段により再生された画像データを一時的に保存する一時保存手段と、
前記記録媒体を前記一方向とは反対方向に通常再生時よりも速い速度で搬送させて、通常再生とは時系列的に逆方向の逆方向早送り再生を行なう早送り再生モード中、任意のタイミングで通常再生モードへの切り替えを指示可能な指示手段と、
前記指示手段の指示に応じて前記逆方向早送り再生モードから通常再生モードに切り替える場合に、前記通常再生モードに切り替えた後に最初に再生されて表示装置に表示される本画像データの画面よりも時系列的に前の画面を前記逆方向早送り再生モードにおいて表示装置に表示しないように前記再生手段と前記一時保存手段とを制御する制御手段と、
を具備することを特徴とする画像再生装置。
【請求項２】
前記本画像データは、それぞれ代表画面を含む所定数の画面からなる複数の画面群から構成されるとともに、前記早送り再生用画像データは、それぞれ前記代表画面の画像データに対応する複数画面の画像データから構成され、前記早送り再生用画像データが、前記記録媒体上において、前記早送り再生用画像データの各画面に対応する前記代表画面の画像データよりも概略ｍ個（ｍは１以上の整数）の前記画面群だけ時系列的に遅れた位置に記録されている場合に、前記一時保存手段は、（ｍ＋２）画面以上の画像データを保存する保存領域を備えることを特徴とする請求項１に記載の画像再生装置。
【請求項３】
前記一時保存手段は、前記逆方向早送り再生モードへの移行指示に応じて前記逆方向早送り再生モードへ移行後、（ｍ＋２）画面の早送り再生用画像データを保存した後に、最初に保存した画面から順に前記表示装置に出力することを特徴とする請求項２に記載の画像再生装置。
【請求項４】
前記記録媒体はテープ状記録媒体であり、前記再生手段は前記テープ状記録媒体上に形成された多数のトラックをスキャンして前記画像データを読み取るヘッドを有し、前記早送り再生用画像データは前記テープを前記一方向及び一方向とは反対方向に通常再生時よりも高速な所定速度で搬送した際に前記ヘッドがスキャンする軌跡に応じた前記トラック上の位置に配置されて記録されていることを特徴とする請求項１記載の画像再生装置。
【請求項５】
前記本画像データはフレーム内符号化方式とフレーム間予測符号化方式とにより符号化されており、前記早送り再生用画像データはフレーム内符号化方式のみにより符号化されていることを特徴とする請求項４記載の画像再生装置。
【請求項６】
時系列に並んだ通常再生用の本画像データと、該本画像データの記録時刻にそれぞれ対応して時系列に並んだ早送り再生用の早送り再生用画像データとが記録された記録媒体で、且つ前記早送り再生用画像データが対応する記録時刻の前記本画像データよりも時系列的に遅れた位置に記録された記録媒体を、一方向に搬送させながら画像データを読み取って再生する画像再生装置であって、且つ前記記録媒体から画像データを読み取って再生する再生手段と、該再生手段により再生された画像データを一時的に保存する一時保存手段と、前記記録媒体を前記一方向とは反対方向に通常再生時よりも速い速度で搬送させて、通常再生とは時系列的に逆方向の逆方向早送り再生を行なう早送り再生モード中、任意のタイミングで通常再生モードへの切り替えを指示可能な指示手段とを備える画像再生装置、を制御する方法であって、
前記指示手段の指示に応じて前記逆方向早送り再生モードから通常再生モードに切り替える場合に、前記通常再生モードに切り替えた後に最初に再生されて表示装置に表示される本画像データの画面よりも時系列的に前の画面を前記逆方向早送り再生モードにおいて表示装置に表示しないように前記再生手段と前記一時保存手段とを制御する制御工程を具備することを特徴とする画像再生装置の制御方法。
【請求項７】
前記本画像データは、それぞれ代表画面を含む所定数の画面からなる複数の画面群から構成されるとともに、前記早送り再生用画像データは、それぞれ前記代表画面の画像データに対応する複数画面の画像データから構成され、前記早送り再生用画像データが、前記記録媒体上において、前記早送り再生用画像データの各画面に対応する前記代表画面の画像データよりも概略ｍ個（ｍは１以上の整数）の前記画面群だけ時系列的に遅れた位置に記録されている場合に、前記制御手段は、（ｍ＋１）画面の早送り再生用画像データを保存した後に、最初に保存した画像データから順に前記表示装置に出力するように前記一時保存手段を制御することを特徴とする請求項６に記載の画像再生装置の制御方法。
【請求項８】
請求項６又は７に記載の制御方法をコンピュータに実行させることを特徴とするプログラム。
【請求項９】
請求項８に記載のプログラムをコンピュータ読み取り可能に記憶したことを特徴とする記憶媒体。
【発明の詳細な説明】
【技術分野】
【０００１】
本発明は画像再生装置において、記録媒体から画像データを読み出し、通常再生、サーチ再生など行う技術に関するものである。
【背景技術】
【０００２】
従来、画像信号や音声信号などをデジタル信号として磁気テープに対して記録再生するデジタルＶＴＲが知られている。
【０００３】
デジタルＶＴＲでは、通常の記録再生機能のほか、サーチ再生（早送り再生）機能などを持っている。サーチ再生時には、磁気テープを通常再生時よりも高速に搬送しながら画像信号を再生している。
【０００４】
また、近年では、画像信号や音声信号をＭＰＥＧ符号化方式で符号化して磁気テープに記録するＶＴＲも登場している。この種のＶＴＲにおいても、磁気テープを高速に搬送させることでサーチ再生を実現することが考えられる。磁気テープを高速で搬送すると、磁気ヘッドがテープ上のトラックを横切ってトレースするため、元のＭＰＥＧデータが不連続になってしまい、そのままでは正しく復号できない。
【０００５】
そのため、サーチ再生時におけるヘッドのトレース軌跡に応じた位置に、イントラ符号化したフレーム（Ｉフレーム）からなるサーチ再生用画像データを記録しておき、サーチ再生時にはこのサーチ再生用画像データを再生することでサーチ機能を実現している（特許文献１参照）。
【特許文献１】特開２００４−１５３８４号公報
【発明の開示】
【発明が解決しようとする課題】
【０００６】
前述の様にＭＰＥＧ符号化された通常再生用の画像データとは別にサーチ再生用の画像データを記録する構成においては、サーチ再生用の画像データは、通常再生用の画像データに対して、サーチ再生と通常再生との切り替え時の表示タイミングを考慮した所定の位置関係を持った状態でテープに記録されている。即ち、サーチ再生用画像データは、対応する通常再生用画像データに対し、テープ上で所定量遅れた位置に記録されている。
【０００７】
しかし、これらの位置関係は正方向（磁気テープの正搬送方向）のサーチ再生を基準に決定しているため、負方向（磁気テープの逆搬送方向）のサーチ再生から通常再生またはポーズ再生などの正方向再生に切り替える場合には、表示画像の時間軸が乱れ、サーチ性能が低下したり、ユーザがデータ欠落と誤認識するといった問題がある。
【０００８】
従って、本発明は上述した課題に鑑みてなされたものであり、その目的は、サーチ再生から通常再生やポーズ再生などの他の再生モードに移行した場合にも、再生画像の乱れを防止し、良好な再生画像が得られるようにすることである。
【課題を解決するための手段】
【０００９】
上述した課題を解決し、目的を達成するために、  時系列に並んだ通常再生用の本画像データと、該本画像データの記録時刻にそれぞれ対応して時系列に並んだ早送り再生用の早送り再生用画像データとが記録された記録媒体で、且つ前記早送り再生用画像データが対応する記録時刻の前記本画像データよりも時系列的に遅れた位置に記録された記録媒体を、一方向に搬送させながら画像データを読み取って再生する画像再生装置であって、前記記録媒体から画像データを読み取って再生する再生手段と、該再生手段により再生された画像データを一時的に保存する一時保存手段と、前記記録媒体を前記一方向とは反対方向に通常再生時よりも速い速度で搬送させて、通常再生とは時系列的に逆方向の逆方向早送り再生を行なう早送り再生モード中、任意のタイミングで通常再生モードへの切り替えを指示可能な指示手段と、前記指示手段の指示に応じて前記逆方向早送り再生モードから通常再生モードに切り替える場合に、前記通常再生モードに切り替えた後に最初に再生されて表示装置に表示される本画像データの画面よりも時系列的に前の画面を前記逆方向早送り再生モードにおいて表示装置に表示しないように前記再生手段と前記一時保存手段とを制御する制御手段と、を具備することを特徴とする。
【００１０】
また、本発明に係わる画像再生装置の制御方法は、時系列に並んだ通常再生用の本画像データと、該本画像データの記録時刻にそれぞれ対応して時系列に並んだ早送り再生用の早送り再生用画像データとが記録された記録媒体で、且つ前記早送り再生用画像データが対応する記録時刻の前記本画像データよりも時系列的に遅れた位置に記録された記録媒体を、一方向に搬送させながら画像データを読み取って再生する画像再生装置であって、且つ前記記録媒体から画像データを読み取って再生する再生手段と、該再生手段により再生された画像データを一時的に保存する一時保存手段と、前記記録媒体を前記一方向とは反対方向に通常再生時よりも速い速度で搬送させて、通常再生とは時系列的に逆方向の逆方向早送り再生を行なう早送り再生モード中、任意のタイミングで通常再生モードへの切り替えを指示可能な指示手段とを備える画像再生装置、を制御する方法であって、前記指示手段の指示に応じて前記逆方向早送り再生モードから通常再生モードに切り替える場合に、前記通常再生モードに切り替えた後に最初に再生されて表示装置に表示される本画像データの画面よりも時系列的に前の画面を前記逆方向早送り再生モードにおいて表示装置に表示しないように前記再生手段と前記一時保存手段とを制御する制御工程を具備することを特徴とする。
【００１１】
また、本発明に係わるプログラムは、上記の制御方法をコンピュータに実行させることを特徴とする。
【００１２】
また、本発明に係わる記憶媒体は、上記のプログラムをコンピュータ読み取り可能に記憶したことを特徴とする。
【発明の効果】
【００１３】
本発明によれば、サーチ再生から通常再生やポーズ再生などの他の再生モードに移行した場合にも、再生画像の乱れを防止し、良好な再生画像が得られるようにすることである。
【発明を実施するための最良の形態】
【００１４】
以下、本発明の好適な一実施形態について、添付図面を参照して詳細に説明する。
【００１５】
図１は、本発明の一実施形態に係わる画像再生装置のブロック構成を示す図である。
【００１６】
図１において、１０１はユーザとのインターフェースとなる操作キー、１０２は画像データを一時的に保持するための画像メモリ、１０３はテープカセット１０９内の磁気テープ１０９ａから読み出された圧縮画像データを一時的に保持するデータメモリ、１０４は画像再生装置全体を制御するＣＰＵ、１０５は画像メモリ１０２から読み出された所定の画像データを表示するＬＣＤ（液晶表示装置）、外部出力端子などを含む表示部、１０６はデータメモリ１０３から読み出された圧縮画像データを伸張し、伸張した画像データを画像メモリ１０２へ書き込む画像伸張部、１０７は回転ヘッドにより磁気テープ１０９ａ上のトラックをスキャンして磁気テープ１０９ａに記録されている圧縮画像データを読み出し、データメモリ１０３へ書き込む再生部、１０８は磁気テープ１０９ａに記録されているサーチ再生用（早送り再生用）画像データを取得し、画像メモリ１０２へサーチ再生用画像データを書き込むサーチ画像取得部、１０９は記録媒体としての磁気テープ１０９ａを内蔵したテープカセットである。以上のように画像再生装置１０００が構成されており、テープカセット１０９は画像再生装置１０００に対して脱着可能である。
【００１７】
テープカセット１０９内の磁気テープ１０９ａ上の各トラックには、ＭＰＥＧ方式により符号化された通常再生用の画像データと、サーチ再生時におけるヘッドのトレース軌跡に応じた位置に配置され、イントラ符号化されたフレーム（Ｉフレーム）からなるサーチ再生用の画像データとが記録されている。
【００１８】
通常再生時は、ＣＰＵ１０４が、以下のように画像再生装置１０００の各部を制御する。
【００１９】
まず、ユーザによる操作キー１０１の再生操作が検知されると、再生部１０７が磁気テープ１０９ａから圧縮画像データをデータメモリ１０３へ読み込む。次に画像伸張部１０６がデータメモリ１０３から圧縮画像データを読み出し、伸張した後に画像メモリ１０２へ書き込む。そして、表示部１０５が、画像メモリ１０２から読み出された画像データを、所定のタイミングで表示する。
【００２０】
また、サーチ再生（早送り再生）動作時は、ＣＰＵ１０４が、以下のように画像再生装置１０００の各部を制御する。
【００２１】
まず、ユーザによる操作キー１０１のサーチ操作が検知されると、ＣＰＵ１０４は再生部１０７を制御して通常再生時よりも速い所定の速度で、磁気テープ１０９ａを搬送し、サーチ再生用画像データを再生する。サーチ画像取得部１０８は再生されたサーチ再生用画像データを取得し、画像メモリ１０２へ書き込む。そして、画像メモリ１０２に書き込まれたサーチ再生用画像データが所定のタイミングで画像メモリ１０２から読み出され、表示部１０５がそのサーチ再生用画像データを表示する。
【００２２】
図２は、本実施形態の画像再生装置において、正方向（磁気テープの正回転方向）のサーチ再生動作から通常再生動作へ移行する場合のタイミングを表わすイメージ図である。また、図３は、サーチ再生動作から通常再生動作に移行する場合の、画像メモリ１０２（バッファ）への画像データの書き込み動作、及び画像データの読み出し動作を示す図である。なお、図２における横軸は時間軸を表わす。
【００２３】
まず、テープカセット１０９内の磁気テープ１０９ａには、通常再生用画像データとしてのＭＰＥＧ(圧縮画像)データと、ＭＰＥＧデータのイントラ符号化したフレーム（Ｉフレーム）を抽出したサーチ再生用画像データの２種類が記録されている。即ち、通常再生用画像データは、フレーム内符号化方式とフレーム間予測符号化方式とにより符号化されており、サーチ再生用画像データはフレーム内符号化方式のみにより符号化されている。  サーチ再生用画像データは通常再生用画像データを構成するＭＰＥＧデータのＧＯＰ（Group of Picture）単位に１フレームが記録されており、磁気テープ１０９ａ上には、対応する通常再生用画像データ中のＧＯＰの表示タイミングにあわせて分布した形式で記録されている。ＧＯＰとは、１フレームのＩピクチャ（フレーム内符号化された画像データ）と、いくつかのＰピクチャ（前方向フレーム間予測符号化された画像データ）及びＢピクチャ（双方向フレーム間予測符号化された画像データ）とを含む所定数のフレームから構成され、ＭＰＥＧ符号化における符号化、復号化処理の基本となる単位である。なお、サーチ再生用画像データは対応する通常再生用画像データ中のＧＯＰのデータとはテープ時間軸上では、概略１ＧＯＰ分ずれた（遅れた）位置に記録されている。
【００２４】
通常再生時には１倍速で磁気テープ１０９ａをスキャンし、磁気テープ１０９ａに記録されている全てのデータを読み取ることが可能である。サーチ再生動作時にはＭ倍速（Ｍは２以上の整数）で磁気テープ１０９ａを搬送するため、磁気ヘッドが磁気テープ上のトラックを横切ってトレースすることになり、元のＭＰＥＧデータが不連続になってＭＰＥＧデータを再生することはできず、サーチ再生用画像データのみが再生可能である。
【００２５】
具体的には、図２において、磁気テープ１０９ａには、通常再生用の画像データであるＭＰＥＧデータが、ＧＯＰ１(イントラフレームＩ１を含む)、ＧＯＰ２(イントラフレームＩ２を含む)、ＧＯＰ３(イントラフレームＩ３を含む)、ＧＯＰ４(イントラフレームＩ４を含む)、… のように記録されており、それとは概略１ＧＯＰ分ずれてサーチ再生用画像データが、I１’（Ｉ１に対応するサーチ再生用画像データ）、I２’（Ｉ２に対応するサーチ再生用画像データ）、I３’（Ｉ３に対応するサーチ再生用画像データ）、I４’（Ｉ４に対応するサーチ再生用画像データ）、… のように記録されている。
【００２６】
まず、図２及び図３を参照して、正方向（磁気テープの正回転方向）のサーチ再生を行なっている状態から通常再生に移行する場合について説明する。
【００２７】
正方向のサーチ再生を行なっている状態では、例えば時刻Ｔ１のタイミングで磁気テープ１０９ａに記録されているサーチ再生用画像データＩ１’が磁気テープ１０９ａから読み出され、バッファである画像メモリ１０２に書き込まれる。この場合、本実施形態では、画像メモリ１０２は、図３に示すようにバンク０、バンク１、バンク２の３つのバンクから構成されており、例えばサーチ再生用画像データＩ１’は、バンク０に書き込まれる。なお、画像メモリ１０２の各バンクは、１画面分の復号された画像データを蓄積可能であるものとする。
【００２８】
次に、時刻Ｔ２のタイミングで次のサーチ再生用画像データＩ２’が画像メモリ１０２のバンク１に書き込まれるとともに、バンク０に既に書き込まれたサーチ再生用画像データＩ１’が読み出され、表示部１０５に表示される。
【００２９】
同様に、時刻Ｔ３のタイミングで、バンク１に既に書き込まれたサーチ再生用画像データＩ２’が読み出され、表示部１０５に表示されるとともに、次のサーチ再生用画像データＩ３’が画像メモリ１０２のバンク０に書き込まれる。なお、バンク０にはサーチ再生用画像データＩ１’が書き込まれていたが、サーチ再生用画像データＩ３’はこのサーチ再生用画像データＩ１’の上に上書きされる。
【００３０】
このようにして、サーチ再生動作が達成される。
【００３１】
ここで、サーチ再生用画像データＩ３’が磁気テープ１０９ａから読み出されている途中の時刻Ｔｃ（時刻Ｔ３とＴ４の間）で、サーチ再生から通常再生に切り替える指示が操作キー１０１によりなされた場合、磁気テープ１０９ａは通常再生の速度に減速され、磁気ヘッドは通常再生用画像データの再生を行なう。この場合、磁気ヘッドはイントラフレームＩ４を含むＧＯＰを途中から再生することになるが、通常再生用の画像データ（ＭＰＥＧデータ）は、ＧＯＰの先頭から再生しないと正常に復号することができないため、このイントラフレームＩ４を含むＧＯＰは画像メモリ１０２には書き込まれず、次のイントラフレームＩ５（通常再生用画像データ）が、次の時刻Ｔ４のタイミングでバンク０に書き込まれる。
【００３２】
また、時刻Ｔｃのタイミングで通常再生動作に切り換わると、磁気ヘッドは、サーチ再生用画像データＩ３’を完全に再生していないので、バンク０に途中まで書き込まれているサーチ再生用画像データＩ３’は、表示用の画像として用いることができず、時刻Ｔ４のタイミングでは、バンク１に書き込まれているＩ２’が継続して読み出され、表示部１０５にはサーチ再生用画像データＩ２’が継続してフリーズ表示される。
【００３３】
次に、時刻Ｔ５では、既にバンク０に書き込まれたイントラフレームＩ５の通常再生用画像データが読み出されて表示部１０５に表示され、同時にイントラフレームＩ５の次のフレームの通常再生用画像データが画像メモリ１０２のバンク１に書き込まれる。このように、時刻Ｔ５以降では、画像メモリ１０２のバンク０とバンク１に交互に通常再生用の画像データの書き込みと読み出しが行なわれ、通常再生動作が達成される。
【００３４】
そして、上記のような正方向のサーチ再生動作から通常再生動作に切り換わる場合には、表示部１０５に表示される画像は、上記のようにＩ１’，Ｉ２’，Ｉ５，Ｉ５の次のフレーム、…の順で更新されるので、サーチの方向と表示画像の更新方向が一致し、ユーザに不自然さを感じさせることなく、サーチ再生動作から通常再生動作への移行が可能となる。
【００３５】
なお、上記の説明では、時刻Ｔｃでサーチ再生動作から通常再生動作に移行する場合、通常再生用画像データを、イントラフレームＩ５から再生するように説明したが、通常再生用画像データとサーチ再生用画像データのデータ量はＧＯＰ毎に異なる場合があり、通常再生用画像データとサーチ再生用画像データのずれは正確に１ＧＯＰ分とはなっていないため、切り替えタイミングＴｃで、磁気ヘッドがイントラフレームＩ４を含む通常再生用画像データを先頭から再生可能な場合には、時刻Ｔ４においてイントラフレームＩ４を画像メモリ１０２のバンク０に書き込むようにしても良い。この場合には、表示部１０５に表示される画像は、Ｉ１’，Ｉ２’，Ｉ４，Ｉ４の次のフレーム、…の順で更新されることとなる。
【００３６】
次に、図４は、従来の画像再生装置において、負方向（磁気テープの逆回転方向）のサーチ再生動作から通常再生動作へ移行する場合のタイミングを表わすイメージ図である。また、図５は、負方向のサーチ再生動作から通常再生動作に移行する場合の、画像メモリ（バッファ）への画像データの書き込み動作、及び画像データの読み出し動作を示す図である。なお、図４における横軸は時間軸を表わす。
【００３７】
まず、磁気テープ１０９ａに記録されているＭＰＥＧデータ、サーチデータは図２で説明したものと同一である。
【００３８】
図４及び図５を参照して、負方向（磁気テープの逆回転方向）のサーチ再生を行なっている状態から通常再生に移行する場合の従来の動作について説明する。
【００３９】
負方向のサーチ再生を行なっている状態では、例えば時刻Ｔ１のタイミングで磁気テープ１０９ａに記録されているサーチ再生用画像データＩ４’が磁気テープ１０９ａから読み出され、バッファである画像メモリに書き込まれる。この場合、従来では、画像メモリは、図５に示すようにバンク０、バンク１の２つのバンクから構成されており、例えばサーチ再生用画像データＩ４’は、バンク０に書き込まれる。
【００４０】
次に、時刻Ｔ２のタイミングで次のサーチ再生用画像データＩ３’が画像メモリのバンク１に書き込まれるとともに、バンク０に既に書き込まれたサーチ再生用画像データＩ４’が読み出され、表示部に表示される。
【００４１】
同様に、時刻Ｔ３のタイミングで、バンク１に既に書き込まれたサーチ再生用画像データＩ３’が読み出され、表示部に表示されるとともに、次のサーチ再生用画像データＩ２’が画像メモリのバンク０に書き込まれる。なお、バンク０にはサーチ再生用画像データＩ４’が書き込まれていたが、サーチ再生用画像データＩ２’はこのサーチ再生用画像データＩ４’の上に上書きされる。
【００４２】
このようにして、負方向のサーチ再生動作が達成される。
【００４３】
ここで、サーチ再生用画像データＩ２'が磁気テープ１０９ａから読み出されている途中の時刻Ｔｃで、サーチ再生から通常再生に切り替える指示が操作キー１０１によりなされた場合、通常再生のために磁気テープ１０９ａの搬送方向を反転するとともに通常再生の速度に設定して搬送を開始し、磁気ヘッドにより通常再生用画像データの再生を行なう。この場合、磁気ヘッドはイントラフレームＩ３を含むＧＯＰを途中から再生することになるが、通常再生用の画像データ（ＭＰＥＧデータ）は、ＧＯＰの先頭から再生しないと正常に復号することができないため、このイントラフレームＩ３を含むＧＯＰは画像メモリには書き込まれず、次のイントラフレームＩ４（通常再生用画像データ）が、次の時刻Ｔ４のタイミングでバンク０に書き込まれる。
【００４４】
また、時刻Ｔｃのタイミングで通常再生動作に切り換わると、磁気ヘッドは、サーチ再生用画像データＩ２’を完全には再生していないので、バンク０に途中まで書き込まれているサーチ再生用画像データＩ２’は、表示用の画像として用いることができず、時刻Ｔ４のタイミングでは、バンク１に書き込まれているＩ３’が継続して読み出され、表示部にはサーチ再生用画像データＩ３’が継続してフリーズ表示される。
【００４５】
次に、時刻Ｔ５では、既にバンク０に書き込まれたイントラフレームＩ４の通常再生用画像データが読み出されて表示部に表示され、同時にイントラフレームＩ４の次のフレームの通常再生用画像データが画像メモリのバンク１に書き込まれる。このように、時刻Ｔ５以降では、画像メモリのバンク０とバンク１に交互に通常再生用の画像データの書き込みと読み出しが行なわれ、通常再生動作が達成される。
【００４６】
ところが、上記のような従来の負方向のサーチ再生動作から通常再生動作に切り換わる場合では、表示部に表示される画像は、上記のようにＩ４’，Ｉ３’，Ｉ４，Ｉ４の次のフレーム、…の順で更新されることとなる。この場合、通常再生が始まる最初のフレームＩ４より時間的に前に記録された画像Ｉ３’が一旦表示されてしまうので、表示画像の更新方向の時間軸が乱れサーチ動作の品質低下を招いたり、ユーザがデータ欠落と誤認識してしまうことがある。
【００４７】
これを解決するために、本実施形態では、負方向のサーチ再生動作から通常再生動作に切り替える場合に、以下のような制御を行なっている。
【００４８】
図６は、本実施形態の画像再生装置において、負方向（磁気テープの逆回転方向）のサーチ再生動作から通常再生動作へ移行する場合のタイミングを表わすイメージ図である。また、図７は、サーチ再生動作から通常再生動作に移行する場合の、画像メモリ１０２（バッファ）への画像データの書き込み動作、及び画像データの読み出し動作を示す図である。なお、図６における横軸は時間軸を表わす。
【００４９】
まず、磁気テープ１０９ａに記録されているＭＰＥＧデータ、サーチデータは図２、図３で説明したものと同一である。
【００５０】
図６及び図７を参照して、負方向（磁気テープの逆回転方向）のサーチ再生を行なっている状態から通常再生に移行する場合の、本実施形態の動作について説明する。
【００５１】
逆方向のサーチ再生を行なっている状態では、例えば時刻Ｔ１のタイミングで磁気テープ１０９ａに記録されているサーチ再生用画像データＩ４’が磁気テープ１０９ａから読み出され、バッファである画像メモリ１０２に書き込まれる。この場合、既に述べたように、本実施形態では、画像メモリ１０２は、図７に示すようにバンク０、バンク１、バンク２の３つのバンクから構成されており、例えばサーチ再生用画像データＩ４’は、バンク０に書き込まれる。なお、サーチ再生用画像データＩ４’がバンク０に書き込まれる時点では、それ以前からサーチ再生動作が継続しているので、バンク１及びバンク２には、サーチ再生用画像データＩ６’、Ｉ５’が既に書き込まれている。そして、サーチ再生用画像データＩ４’がバンク０に書き込まれる時点では、バンク１に既に書き込まれたサーチ再生用画像データＩ６’が読み出され、表示部１０５に表示される。
【００５２】
次に、時刻Ｔ２のタイミングで次のサーチ再生用画像データＩ３’が画像メモリ１０２のバンク１に書き込まれるとともに、バンク２に既に書き込まれたサーチ再生用画像データＩ５’が読み出され、表示部１０５に表示される。なお、バンク１にはサーチ再生用画像データＩ６’が書き込まれていたが、サーチ再生用画像データＩ３’はこのサーチ再生用画像データＩ６’の上に上書きされる。
【００５３】
同様に、時刻Ｔ３のタイミングで、バンク０に既に書き込まれたサーチ再生用画像データＩ４’が読み出され、表示部１０５に表示されるとともに、次のサーチ再生用画像データＩ２’が画像メモリ１０２のバンク２に書き込まれる。
【００５４】
このようにして、負方向のサーチ再生動作が達成される。
【００５５】
ここで、サーチ再生用画像データＩ２'が磁気テープ１０９ａから読み出されている途中の時刻Ｔｃ（時刻Ｔ３とＴ４の間）で、サーチ再生から通常再生に切り替える指示が操作キー１０１によりなされた場合、通常再生のために磁気テープ１０９ａの搬送方向を反転するとともに通常再生の速度に設定して搬送を開始し、磁気ヘッドは通常再生用画像データの再生を行なう。この場合、磁気ヘッドはイントラフレームＩ３を含むＧＯＰを途中から再生することになるが、通常再生用の画像データ（ＭＰＥＧデータ）は、ＧＯＰの先頭から再生しないと正常に復号することができないため、このイントラフレームＩ３を含むＧＯＰは画像メモリ１０２には書き込まれず、次のイントラフレームＩ４（通常再生用画像データ）が、次の時刻Ｔ４のタイミングでバンク１に書き込まれる。
【００５６】
ここで、例えば時刻Ｔ４のタイミングでイントラフレームＩ４の通常再生用画像データを画像メモリ１０２のバンク２に書き込めば、イントラフレームＩ４の画像メモリ１０２への書き込み中に、表示部１０５にバンク１に記録されているサーチ再生用画像データＩ３’を表示することは可能である。しかしながら、サーチ再生用画像データＩ３’を表示すると、図４及び図５の従来例で説明したように、通常再生が始まる最初のフレームＩ４より時間的に前に記録された画像Ｉ３’が一旦表示されてしまうので、表示画像の更新方向の時間軸が乱れて好ましくない。そこで、本実施形態では、画像メモリ１０２のバンク１に書き込まれているサーチ再生用画像データＩ３’は表示せず、そのバンク１にイントラフレームＩ４を上書きしてしまう。そして、サーチ再生用画像データＩ３’を表示部１０５に表示する代わりに、時刻Ｔ４のタイミングでは、バンク０に書き込まれているＩ４’が継続して読み出され、表示部１０５にはサーチ再生用画像データＩ４’が継続してフリーズ表示される。
【００５７】
次に、時刻Ｔ５では、既にバンク１に書き込まれたイントラフレームＩ４の通常再生用画像データが読み出されて表示部１０５に表示され、同時にイントラフレームＩ４の次のフレームの通常再生用画像データが画像メモリ１０２のバンク０に書き込まれる。このように、時刻Ｔ５以降では、画像メモリ１０２のバンク０とバンク１に交互に通常再生用の画像データの書き込みと読み出しが行なわれ、通常再生動作が達成される。
【００５８】
上記のような負方向のサーチ再生動作から通常再生動作に切り替える動作の場合には、表示部１０５に表示される画像は、上記のようにＩ６’，Ｉ５’，Ｉ４’，Ｉ４，Ｉ４の次のフレーム、…の順で更新されるので、表示画像の更新方向の時間軸が乱れず、ユーザに不自然さを感じさせることなく、サーチ再生動作から通常再生動作への移行が可能となる。
【００５９】
図８は、本実施形態に係る画像再生装置における、サーチ再生から通常再生に切り替える動作を示すフローチャートである。
【００６０】
まず、ユーザが操作キー１０１を操作してサーチ再生を指示した場合に、そのサーチ再生が負方向サーチ再生であるか否かが判断される（ステップＳ５０１）。負方向サーチ再生である場合にはステップＳ５０２に進んで負方向サーチ再生動作を行ない、正方向サーチ再生である場合にはステップＳ５１５に進んで正方向サーチ再生動作を行なう。
【００６１】
負方向サーチ再生動作では、まず、再生方向を負方向に設定する（ステップＳ５０２）。そして、磁気テープ１０９ａを逆回転方向に高速搬送させて、負方向サーチ再生を開始する（ステップＳ５０３）。
【００６２】
ステップＳ５０３で負方向サーチ再生が開始されると、サーチ再生用画像データが順次再生されるので、Ｎ画面分（本実施形態ではＮ＝２）のサーチ再生用画像データが画像メモリ１０２のバンク０〜Ｎに書き込まれたか否かが判断される（ステップＳ５０４）。なお、本実施形態では画像メモリ１０２のバンクの数を３（Ｎ＋１）とし、Ｎ＋１画面分（３画面分）のサーチ再生用画像データを画像メモリ１０２に書き込むように説明しているが、このＮの値は、通常再生用画像データとそれに対応するサーチ再生用画像データの磁気テープ上のずれ量に応じて設定されるものである。本実施形態では、通常再生用画像データとサーチ再生用画像データの磁気テープ上のずれ量を概略１ＧＯＰ分と仮定しているので、Ｎ＝２としている。
【００６３】
ステップＳ５０４で、Ｎ画面分のサーチ再生用画像データが画像メモリ１０２に書き込まれたと判断された場合には、画像メモリ１０２内の最初のサーチ再生用画像データを読み出し、表示部１０５に表示する（ステップＳ５０５）。
【００６４】
次に、表示部１０５に表示する画像の切り替えタイミングであるか否かが判断され（ステップＳ５０６）、切り替えタイミングである場合には、画像メモリ１０２から次のサーチ再生用画像データを読み出して表示部１０５に表示するとともに、画像メモリの書き込みバンクを切り替えて次のサーチ再生用画像データを書き込む（ステップＳ５０７）。
【００６５】
次に、ユーザの操作キー１０１の操作により、通常再生に戻る指示が出されたか否かが判断される（ステップＳ５０８）。
【００６６】
通常再生に戻る指示が出されなかった場合（ステップＳ５０８：Ｎｏ）には、サーチ再生を終了する指示が出されたか否かが判断され（ステップＳ５０９）、サーチ再生を終了する指示が出された場合（ステップＳ５０９：Ｙｅｓ）には、そのまま画像再生装置の動作を終了する。サーチ再生を終了する指示が出されなかった場合（ステップＳ５０９：Ｎｏ）には、ステップＳ５０６に戻り、ステップＳ５０６〜ステップＳ５０８の動作を繰り返す。
【００６７】
ステップＳ５０８で通常再生に戻る指示が出された場合には、画像メモリ１０２から読み出し中のサーチ再生画像を表示部１０５にフリーズ表示し、磁気テープ１０９ａの搬送方向を反転して通常再生を開始する（ステップＳ５１１）。
【００６８】
通常再生が開始されると、通常再生に戻る指示が出された時点で表示部１０５に表示されていたサーチ画像（現在フリーズ表示している画像）に対応する対応通常再生用画像データのＧＯＰの再生が開始されるまで待ち（ステップＳ５１２）、その対応通常再生用画像データのＧＯＰの再生が開始されると、そのＧＯＰの先頭フレームの画像データを画像メモリ１０２に書き込む（ステップＳ５１３）。このとき、現在画像メモリ１０２に保存されてはいるが表示部１０５には未表示の画像のバンクに、上記の対応通常再生用画像データの先頭フレームのデータを上書きする。そして、上記の対応通常再生用画像データの先頭フレームを画像メモリ１０２に書き込む動作が終了すると、現在表示部１０５にフリーズ表示されている画像を、その通常再生用画像データの先頭フレームに切り替えて（ステップＳ５１４）、その後は、画像メモリ１０２の２つのバンクを交互に切り替えて画像を表示する通常再生動作に移行する。
【００６９】
一方、正方向サーチ再生動作では、まず、再生方向を正方向に設定する（ステップＳ５１５）。そして、磁気テープ１０９ａを正回転方向に高速搬送させて、正方向サーチ再生を開始する（ステップＳ５１６）。
【００７０】
ステップＳ５１６で正方向サーチ再生が開始されると、サーチ再生用画像データが順次再生されるので、（Ｎ−１）画面分（本実施形態ではＮ＝３）のサーチ再生用画像データが画像メモリ１０２のバンク０〜（Ｎ−２）に書き込まれたか否かが判断される（ステップＳ５１７）。
【００７１】
ステップＳ５１７で、（Ｎ−１）画面分のサーチ再生用画像データが画像メモリ１０２に書き込まれたと判断された場合には、画像メモリ１０２内の最初のサーチ再生用画像データを読み出し、表示部１０５に表示する（ステップＳ５１８）。
【００７２】
次に、表示部１０５に表示する画像の切り替えタイミングであるか否かが判断され（ステップＳ５１９）、切り替えタイミングである場合には、画像メモリ１０２から次のサーチ再生用画像データを読み出して表示部１０５に表示するとともに、それまで表示していたサーチ再生用画像データに対応するバンクに次のサーチ再生用画像データを書き込む（ステップＳ５２０）。
【００７３】
次に、ユーザの操作キー１０１の操作により、通常再生に戻る指示が出されたか否かが判断される（ステップＳ５２１）。
【００７４】
通常再生に戻る指示が出されなかった場合（ステップＳ５２１：Ｎｏ）には、サーチ再生を終了する指示が出されたか否かが判断され（ステップＳ５２２）、サーチ再生を終了する指示が出された場合（ステップＳ５２２：Ｙｅｓ）には、そのまま画像再生装置の動作を終了する。サーチ再生を終了する指示が出されなかった場合（ステップＳ５２２：Ｎｏ）には、ステップＳ５１９に戻り、ステップＳ５１９〜ステップＳ５２１の動作を繰り返す。
【００７５】
ステップＳ５２１で通常再生に戻る指示が出された場合には、画像メモリ１０２から読み出し中のサーチ再生画像を表示部１０５にフリーズ表示し、磁気テープ１０９ａの回転速度を落として通常再生を開始する（ステップＳ５２４）。
【００７６】
通常再生が開始されると、最初の復号可能なＧＯＰの再生が開始されるまで待ち（ステップＳ５２５）、その最初の復号可能なＧＯＰの再生が開始されると、その先頭フレームの画像データを、画像メモリ１０２の現在フリーズ表示されている画像が保存されているバンク以外のバンクに書き込む（ステップＳ５２６）。
【００７７】
そして、上記の最初の復号可能なＧＯＰの先頭フレームを画像メモリ１０２に書き込む動作が終了すると、現在表示部１０５にフリーズ表示されている画像を、その通常再生用画像（先頭フレーム）に切り替えて（ステップＳ５２７）、その後は、画像メモリ１０２の２つのバンクを交互に切り替えて画像を表示する通常再生動作に移行する。
【００７８】
以上説明したように、上記の実施形態によれば、通常再生用画像データとサーチ再生用画像データがｍＧＯＰ分（上記の実施形態ではｍ＝１）ずれている場合に、バッファとしての画像メモリ１０２の記憶容量を（ｍ＋２）画面以上の画像データを記憶可能な容量としておくことにより、負方向のサーチ再生動作から通常再生動作に移行した場合でも、表示画像の更新方向の時間軸が乱れず、ユーザに不自然さを感じさせることがなくなる。
【００７９】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００８１】
本発明を上記記憶媒体に適用する場合、その記憶媒体には、先に説明した手順に対応するプログラムコードが格納されることになる。
【図面の簡単な説明】
【００８２】
【図１】本発明の一実施形態に係わる画像再生装置のブロック構成を示す図である。
【図２】一実施形態の画像再生装置において、正方向（磁気テープの正回転方向）のサーチ再生動作から通常再生動作へ移行する場合のタイミングを表わすイメージ図である。
【図３】サーチ再生動作から通常再生動作に移行する場合の、画像メモリ（バッファ）への画像データの書き込み動作、及び画像データの読み出し動作を示す図である。
【図４】従来の画像再生装置において、負方向（磁気テープの逆回転方向）のサーチ再生動作から通常再生動作へ移行する場合のタイミングを表わすイメージ図である。
【図５】負方向のサーチ再生動作から通常再生動作に移行する場合の、従来の画像メモリ（バッファ）への画像データの書き込み動作、及び画像データの読み出し動作を示す図である。
【図６】一実施形態の画像再生装置において、負方向（磁気テープの逆回転方向）のサーチ再生動作から通常再生動作へ移行する場合のタイミングを表わすイメージ図である。
【図７】サーチ再生動作から通常再生動作に移行する場合の、画像メモリ（バッファ）への画像データの書き込み動作、及び画像データの読み出し動作を示す図である。
【図８】一実施形態に係る画像再生装置における、サーチ再生から通常再生に切り替える動作を示すフローチャートである。
【符号の説明】
【００８３】
１０１  操作キー
１０２  画像メモリ
１０３  データメモリ
１０４  ＣＰＵ
１０５  表示部
１０６  画像伸張部
１０７  再生部
１０８  サーチ画像取得部
１０９  記録媒体
【図１】
2006209830.tif 000003
【図２】
2006209830.tif 000004
【図３】
2006209830.tif 000005
【図４】
2006209830.tif 000006
【図５】
2006209830.tif 000007
【図６】
2006209830.tif 000008
【図７】
2006209830.tif 000009
【図８】
2006209830.tif 000010